(57)【要約】【課題】電力の節電状態から、マルチディスプレイとして表示機能を実行可能な状態となるまでの時間を、高速化することを課題とする。【解決手段】ディジーチェーン接続された各表示ユニットが、表示機能を起動させるための電源起動信号を受信する起動信号受信部と、電源起動信号を送信する起動信号送信部と、表示機能を実行する表示制御部と、表示制御部を起動させるための電力を表示制御部に供給する主電源供給部とを備え、隣接する上流側の表示ユニットの上流起動信号送信部と前記起動信号受信部とが接続される第１の伝達経路と、隣接する下流側の表示ユニットの下流起動信号受信部と前記起動信号送信部とが接続される第２の伝達経路を有し、起動信号受信部が電源起動信号を受信した場合に、起動信号送信部が、前記第２の伝達経路を介して電源起動信号を送信した後、主電源供給部によって、表示制御部を起動させるための電力を表示制御部に供給させる。【選択図】図４
2016081012.tif 000002
【特許請求の範囲】
【請求項１】
ディジーチェーン接続された複数の表示ユニットからなるマルチディスプレイ装置であって、
前記各表示ユニットが、表示機能を起動させるための電源起動信号を受信する起動信号受信部と、前記電源起動信号を送信する起動信号送信部と、前記表示機能を実行する表示制御部と、前記表示制御部を起動させるための電力を、前記表示制御部に供給する主電源供給部と、前記主電源供給部の動作を制御する主電源起動部とを備え、
前記ディジーチェーン接続された他の表示ユニットのうち、隣接する上流側の表示ユニットの上流起動信号送信部と前記起動信号受信部とが接続される第１の伝達経路と、隣接する下流側の表示ユニットの下流起動信号受信部と前記起動信号送信部とが接続される第２の伝達経路を有し、
前記起動信号受信部が、前記第１の伝達経路を介して前記電源起動信号を受信した場合に、前記起動信号送信部が、前記第２の伝達経路を介して前記電源起動信号を送信した後、前記主電源起動部が、前記主電源供給部によって、前記表示制御部を起動させるための電力を表示制御部に供給させることを特徴とするマルチディスプレイ装置。
【請求項２】
前記表示ユニットは、常時電力が供給される電子回路領域からなる常時電源供給ブロックと、表示機能を実行させるときに電力が供給される電子回路領域からなる電源供給制限ブロックとを備え、
前記表示制御部は、前記電源供給制限ブロックに属し、
前記起動信号送信部、起動信号受信部および主電源起動部は、前記常時電源供給ブロックに属することを特徴とする請求項１に記載のマルチディスプレイ装置。
【請求項３】
前記ディジーチェーン接続された表示ユニットのうち、最初の表示ユニットは、前記電源供給制限ブロックに電力を供給させることを要求する電源イベント信号が受信されることを監視する電源イベント監視部をさらに備え、
電源イベント監視部が、前記電源イベント信号を受信したことを確認した場合に、前記起動信号送信部が、前記第２の伝達経路を介して、隣接する下流側の表示ユニットに電源起動信号を送信することを特徴とする請求項１に記載のマルチディスプレイ装置。
【請求項４】
前記最初の表示ユニットから送信された電源起動信号は、前記第１および第２の伝達経路を介して、順次隣接する下流側の表示ユニットの下流起動信号受信部に受信され、かつその表示ユニットの起動信号送信部からさらに隣接する下流側の表示ユニットに送信され、ディジーチェーン接続された最後の表示ユニットの起動信号受信部にまで伝達されることを特徴とする請求項３に記載のマルチディスプレイ装置。
【請求項５】
前記表示制御部は、画像を表示させる画面を有する表示部と、表示部を照明するバックライトと、表示部に表示させる画像を生成する画像処理部を含むことを特徴とする請求項１から４のいずれかに記載のマルチディスプレイ装置。
【請求項６】
前記起動信号受信部および起動信号送信部は、ＲＳ２３２Ｃインタフェースの接続コネクタの所定の端子に対応づけられ、前記電源起動信号は、前記所定の端子から受信または送信されることを特徴とする請求項１から５のいずれかに記載のマルチディスプレイ装置。
【発明の詳細な説明】
【技術分野】
【０００１】
この発明は、マルチディスプレイ装置に関し、特に、複数の表示ユニットが、制御信号を送信可能なケーブルでディジーチェーン接続されたマルチディスプレイ装置に関する。
【背景技術】
【０００２】
マルチディスプレイ装置を構成する個々の表示装置の省電力化のために、常時電力を供給するデバイスを制限し、通常の画像表示を行う場合に画面表示機能に関するデバイスに電力を供給するようにしたローパワーモードを有するマルチディスプレイ装置があった。
また、マルチディスプレイ装置では、電源を投入したときに、複数の表示装置が同時に起動され、突入電流が流れるために、ブレーカー等が切れるという問題があった。
【０００３】
突入電流が発生することによるトラブルを回避するために、他の表示装置に自己の動作状態を伝達することにより、ディジーチェーン接続された複数の表示装置の電源回路を順次立ち上げるようにした表示装置が提案されている（特許文献１参照）。
【０００４】
また、ディジーチェーン接続された他のディスプレイに、バックライトや負荷回路に電力を供給する待ち時間を表す数値を含むコマンドを、ＲＳ２３２Ｃケーブルを介して送信し、受信された待ち時間に基づいて、各ディスプレイのバックライト等に電力が供給されるタイミングが異なるように制御したマルチディスプレイシステムが提案されている（特許文献２参照）。
【０００５】
また、ローパワーモードを持つマルチディスプレイ装置では、常時電力が供給されているデバイス部分によって、ユーザのキー入力等によって表示機能を起動させるような電源イベントが入力されたことを検出した場合、自己のディスプレイの表示機能に関するすべてのデバイスに電力を供給した後に、動作が有効化された通信機能を利用して、ディジーチェーン接続された次のディスプレイに対し、表示機能を起動させるような電源イベントが発生したことを示すコマンドを送信していた。
このコマンドの送信は、ディジーチェーン接続された２つのディスプレイ間で順次行われ、最後に接続されたディスプレイまで、自己の電力供給処理とコマンドの送信処理とが行われていた。
【先行技術文献】
【特許文献】
【０００６】
【特許文献１】特開２００４−１２６４５３号公報
【特許文献２】特開２０１２−１１３２０５号公報
【発明の概要】
【発明が解決しようとする課題】
【０００７】
しかし、複数のディスプレイがディジーチェーン化された従来のマルチディスプレイ装置では、他のディスプレイから動作状態やコマンドを受信した後、自己のディスプレイの表示機能や送信側の通信機能が実行できるように自己の電源回路を立ち上げた後に、次のディスプレイ装置に自己の動作状態やコマンド等を送信していた。
すなわち、自己のディスプレイがその表示機能や送信側の通信機能が開始できるようになるまで、他のディスプレイに動作状態等を送信しないようにしていたので、複数のディスプレイは１台ずつ順次起動することになり、最後のディスプレイが表示可能となった後にマルチディスプレイとして表示機能が利用できるようになるためには、かなりの長時間を必要としていた。
また、マルチディスプレイを構成するディスプレイの数が増えれば増えるほど、マルチディスプレイ全体が起動するための時間はさらに長時間を必要とする。
【０００８】
また、待ち時間を表す数値を含むコマンドを順次送信するマルチディスプレイシステムでも、各ディスプレイは、受信した待ち時間に相当する時間が経過した後に、電源が投入されて表示が可能となるため、同様に、マルチディスプレイ全体として機能するためには、かなりの長時間を必要としていた。
【０００９】
そこで、この発明は、以上のような事情を考慮してなされたものであり、特に、ローパワーモード状態となっているマルチディスプレイ装置が、マルチディスプレイとして表示機能を実行できる状態に復帰するまでの時間を高速化（短縮）することを課題とする。
【課題を解決するための手段】
【００１０】
この発明は、ディジーチェーン接続された複数の表示ユニットからなるマルチディスプレイ装置であって、前記各表示ユニットが、表示機能を起動させるための電源起動信号を受信する起動信号受信部と、前記電源起動信号を送信する起動信号送信部と、前記表示機能を実行する表示制御部と、前記表示制御部を起動させるための電力を、前記表示制御部に供給する主電源供給部と、前記主電源供給部の動作を制御する主電源起動部とを備え、前記ディジーチェーン接続された他の表示ユニットのうち、隣接する上流側の表示ユニットの上流起動信号送信部と前記起動信号受信部とが接続される第１の伝達経路と、隣接する下流側の表示ユニットの下流起動信号受信部と前記起動信号送信部とが接続される第２の伝達経路を有し、前記起動信号受信部が、前記第１の伝達経路を介して前記電源起動信号を受信した場合に、前記起動信号送信部が、前記第２の伝達経路を介して前記電源起動信号を送信した後、前記主電源起動部が、前記主電源供給部によって、前記表示制御部を起動させるための電力を表示制御部に供給させることを特徴とするマルチディスプレイ装置を提供するものである。
【００１１】
また、前記表示ユニットは、常時電力が供給される電子回路領域からなる常時電源供給ブロックと、表示機能を実行させるときに電力が供給される電子回路領域からなる電源供給制限ブロックとを備え、前記表示制御部は、前記電源供給制限ブロックに属し、前記起動信号送信部、起動信号受信部および主電源起動部は、前記常時電源供給ブロックに属することを特徴とする。
【００１２】
また、前記ディジーチェーン接続された表示ユニットのうち、最初の表示ユニットは、前記電源供給制限ブロックに電力を供給させることを要求する電源イベント信号が受信されることを監視する電源イベント監視部をさらに備え、電源イベント監視部が、前記電源イベント信号を受信したことを確認した場合に、前記起動信号送信部が、前記第２の伝達経路を介して、隣接する下流側の表示ユニットに電源起動信号を送信することを特徴とする。
【００１３】
また、前記最初の表示ユニットから送信された電源起動信号は、前記第１および第２の伝達経路を介して、順次隣接する下流側の表示ユニットの下流起動信号受信部に受信され、かつその表示ユニットの起動信号送信部からさらに隣接する下流側の表示ユニットに送信され、ディジーチェーン接続された最後の表示ユニットの起動信号受信部にまで伝達されることを特徴とする。
【００１４】
また、前記表示制御部は、画像を表示させる画面を有する表示部と、表示部を照明するバックライトと、表示部に表示させる画像を生成する画像処理部を含むことを特徴とする。
【００１５】
また、前記起動信号受信部および起動信号送信部は、ＲＳ２３２Ｃインタフェースの接続コネクタの所定の端子に対応づけられ、前記電源起動信号は、前記所定の端子から受信または送信されることを特徴とする。
【発明の効果】
【００１６】
この発明によれば、１つの表示ユニットの起動信号送信部が、第２の伝達経路を介して隣接する下流側の表示ユニットに電源起動信号を送信した後に、主電源供給部によって、表示制御部を起動させるための電力を表示制御部に供給させるので、各表示ユニットの表示機能の起動に関係なく、電源起動信号は最後の表示ユニットまで伝達され、表示制御部に電力が供給されることによって行われる各表示ユニットの表示機能の起動は、並列的に行わせることができ、マルチディスプレイとして表示機能を実行できる状態となるまでの時間を、高速化することができる。
【図面の簡単な説明】
【００１７】
【図１】この発明のマルチディスプレイ装置の一実施例における表示ユニットの接続構成の説明図である。
【図２】この発明の表示ユニットの一実施例の構成ブロック図である。
【図３】この発明の表示ユニットにおいて、インタフェースとして、ＲＳ２３２Ｃコネクタを用いた部分の接続説明図である。
【図４】この発明のマルチディスプレイ装置において、電源起動信号ＰＷｓの伝達と表示起動状態の一実施例の説明図である。
【図５】従来における電源起動信号の伝達と表示起動状態の説明図である。
【図６】この発明の各表示ユニットの電源起動制御処理の実施例１のフローチャートである。
【図７】この発明の各表示ユニットの電源起動制御処理の実施例２のフローチャートである。
【図８】この発明の表示ユニットにおいて、インタフェースとして、ＲＳ２３２Ｃコネクタとドライバとを用いた一実施例の電子回路の概略構成図である。
【発明を実施するための形態】
【００１８】
以下、図に示す実施例に基づいて、この発明を説明する。
なお、これによって、この発明が限定されるものではない。
【００１９】
＜マルチディスプレイ装置の構成＞
図１に、この発明のマルチディスプレイ装置について、一実施例の構成の説明図を示す。
マルチディスプレイ装置は、ディジーチェーン接続された複数の表示ユニットからなる。
図１（ａ）は、４つの表示ユニット１００から構成されたマルチディスプレイ装置（以下、単に、マルチディスプレイとも呼ぶ）の概略説明図である。ここでは、４つの表示ユニット（Ｄ１，Ｄ２，Ｄ３，Ｄ４）が、図示するように縦方向および横方向に配置されているものを示している。
ただし、１つのマルチディスプレイを構成する表示ユニットの数は４つに限るものではなく、２つあるいは３つでもよく、さらに、５つ以上の表示ユニットをマトリクス状に配置してマルチディスプレイを構成してもよい。
【００２０】
１つの表示ユニット１００としては、たとえば、ＬＣＤ、ＰＤＰ、有機ＥＬディスプレイなどが用いられる。
ユーザが、たとえば、このマルチディスプレイを使用してプレゼンテーションを行う場合は、マルチディスプレイに接続されたパソコン等の情報処理装置の表示画面に表示された画像を、４つの表示ユニットから構成される表示画面全体に、拡大表示させる。
【００２１】
図１（ｂ）では、４つの表示ユニット間の接続構成の概略図を示している。
ただし、ここでは、各表示ユニットの電源を順次起動させることによって表示機能を起動させるための電源起動信号を、送受信させる接続部分のみを示している。マルチディスプレイで画像を表示させるためには、実際には、表示ユニット間には、たとえば、図示しない映像信号を入出力する接続構成や、映像を出力する機器も必要となる。
【００２２】
図１（ｂ）において、各表示ユニットは、電源起動信号ＰＷｓを入力するための入力端子（起動入力端子とも呼ぶ）ＰＷｉｎと、電源起動信号ＰＷｓを出力するための出力端子（起動出力端子とも呼ぶ）ＰＷｏｕｔとを有する。
【００２３】
４つの表示ユニットが、Ｄ１，Ｄ２，Ｄ３，Ｄ４の順に、ディジーチェーンによって接続されているとすると、１つの表示ユニットの出力端子ＰＷｏｕｔから出力されたＰＷｓは、ディジーチェーン接続された隣接する下流側の表示ユニットの入力端子ＰＷｉｎに入力される。
たとえば、第２表示ユニットＤ２の出力端子ＰＷｏｕｔから出力されたＰＷｓは、第３表示ユニットＤ３の入力端子ＰＷｉｎに入力される。
すなわち、ディジーチェーン接続された複数の表示ユニットにおいて、上流側の表示ユニット（Ｄｎ）の起動出力端子ＰＷｏｕｔと、これに隣接する下流側の表示ユニット（Ｄｎ＋１）の起動入力端子ＰＷｉｎとを、所定のケーブルによって接続する。
【００２４】
また、最初の第１表示ユニットＤ１には、Ｄ１のみ有効なリモコンやＬＡＮ等のネットワークを介して接続された情報処理装置（以下、パソコンとも呼ぶ）から、電源イベント信号ＥＶｓが入力されるものとする。
電源イベント信号ＥＶｓは、たとえば、マルチディスプレイに画像を表示させる前に、各表示ユニットを起動させて、画像を表示できる状態とするために、パソコンから入力される信号である。
また、この他に、マルチディスプレイに接続されたキーボードや、赤外線などの無線信号を出力するリモコン等を用いて、ユーザが所定の入力操作をすることによって、電源イベント信号ＥＶｓを入力してもよい。
あるいは、表示ユニットが、シリアルインタフェースの規格であるＲＳ２３２Ｃポートを有する場合には、ＲＳ２３２Ｃポートの所定の入力端子から、電源イベント信号ＥＶｓを入力してもよい。
【００２５】
図１（ｃ）に、電源起動信号ＰＷｓの伝達経路の概略説明図を示す。
図１（ｃ）は、伝達経路を説明するために、図１（ｂ）のマルチディスプレイを構成する４つの表示ユニットを別々に分けて図示したものである。
電源イベント信号ＥＶｓが、第１表示ユニットＤ１に入力されると、第１表示ユニットＤ１の出力端子ＰＷｏｕｔから、電源起動信号ＰＷｓが出力され、出力された電源起動信号ＰＷｓは、第２表示ユニットＤ２の入力端子ＰＷｉｎに入力される。さらに、第２表示ユニットＤ２に入力された電源起動信号ＰＷｓは、その出力端子ＰＷｏｕｔから出力されて、第３表示ユニットＤ３の入力端子ＰＷｉｎに入力され、その後同様に、電源起動信号ＰＷｓは、最後の第４表示ユニットＤ４の入力端子ＰＷｉｎに入力される。
【００２６】
この発明の表示ユニット１００は、後述するように、ＡＣ電力が供給されている状態において、そのＡＣ電力をＡＣ−ＤＣ変換して、ＤＣ電力を常時供給する電子回路領域からなるブロック（常時電源供給ブロックと呼ぶ）と、画像表示機能や入力機能などを実行するときにＤＣ電力が供給される電子回路領域からなるブロック（電源供給制限ブロックと呼ぶ）とを備えるものとする。
電源供給制限ブロックは、たとえば、マルチディスプレイとしての画像表示を実際に実行するために、ＤＣ電力が供給されるブロックであり、後述するような表示制御部を含む。
【００２７】
マルチディスプレイ装置では、複数の表示ユニットを用いるため、画像表示処理がすぐにできるように、すべての表示ユニットの電子回路を起動状態としておく場合は、消費電力が大きく、省電力化の要求を満たすことが難しい。
そこで、実際にマルチディスプレイとしての表示処理等を実行しない場合や電力低減のために機能を制限した通信回路には、常時電源供給ブロックのみにＤＣ電力を供給し、電源供給制限ブロックには、ＤＣ電力は供給しないようにする。
この電源供給制限ブロックにＤＣ電力を供給しない状態を、電源待機状態、あるいはローパワーモードと呼ぶ。
また、上記した電源起動信号ＰＷｓは、電源供給制限ブロックへＤＣ電力の供給を開始し、表示機能を起動させるためのトリガ信号として利用する。
【００２８】
図１（ｃ）に示した電源起動信号ＰＷｓの送信および受信をする入出力端子と、ＰＷｓの送受信制御を行う電子回路は、常時電源供給ブロックに属する。
また、後述するように、電源起動信号ＰＷｓを受信した表示ユニットでは、常時電源供給ブロックの動作により、その表示ユニットの出力端子ＰＷｏｕｔから、隣接する下流側の表示ユニットに対し、電源起動信号ＰＷｓを送信する。
さらに、表示ユニットの出力端子ＰＷｏｕｔから電源起動信号ＰＷｓを送信した後に、自己の表示ユニットの電源供給制限ブロックに対して電力の供給を開始し、表示処理や電力低減のために機能を制限した送信用通信回路などが実行できる状態にする。
【００２９】
これにより、自己の表示ユニットの電源供給制限ブロックへの電源供給をする前に、ディジーチェーン接続された最初の表示ユニットから、最後の表示ユニットまで、迅速に、電源起動信号ＰＷｓが伝達されることになる。
電源起動信号ＰＷｓを最初の表示ユニットから最後の表示ユニットに伝達する経路として専用の接続ラインを用いれば、ほぼリアルタイムに近い速度で、最後の表示ユニットまで、電源起動信号ＰＷｓを伝えることができる。
【００３０】
従って、各表示ユニットにおいて、電源起動信号ＰＷｓを隣接する表示ユニットに送信した後に、自己の電源供給制限ブロックにＤＣ電力を供給して画像表示等ができる状態とすることにより、ローパワーモードから、マルチディスプレイとしての表示機能が実行できるようになるまでの時間を高速化（短縮）することができる。
【００３１】
＜表示ユニットの構成＞
図２に、この発明の表示ユニットの一実施例の構成ブロック図を示す。
図２では、表示ユニット１００を構成する機能ブロックのうち、主として、電源供給および電源起動信号の伝達に関係する機能ブロックを示している。
したがって、表示ユニットは、図示した機能ブロック以外にも、画像表示処理をするために必要なブロック、たとえば、表示すべき画像データの伝送、記憶、変換をするブロックや、ＯＳＤ、カラー調整などを行うための機能ブロックを備えるものとする。
図２において、表示ユニット１００は、主として、電力受電部１，常時電源供給部２，主電源供給部３，常時電源供給ブロック４，電源供給制限ブロック５とを備える。
【００３２】
電源受電部１は、外部から供給される商用の交流電力（ＡＣ電力）２００を、受電する部分であり、受電したＡＣ電力を、ＡＣ−ＤＣ変換して、表示ユニットを構成する各ハードウェアに供給する直流電力（ＤＣ電力）を生成する部分である。生成したＤＣ電力は、常時電源供給部２と、主電源供給部３に与えられる。
【００３３】
常時電源供給部２は、生成されたＤＣ電力を、常時電源供給ブロック４に供給する部分である。
主電源供給部３は、生成されたＤＣ電力を、電源供給制限ブロック５に供給する部分である。特に、電源供給制限ブロック５に属する表示制御部５０を起動させるための電力を、表示制御部５０に供給する。ただし、主電源供給部３から電源供給制限ブロック５へのＤＣ電力の供給は、主電源起動部４６からの制御信号や切替スイッチによって、制御される。
たとえば、後述するように、電源起動信号ＰＷｓが入力され、電源起動信号ＰＷｓを他の表示ユニットに出力した後に、主電源起動部４６が、主電源の供給を開始する信号を主電源供給部３に与え、主電源供給部３によって電源供給制限ブロック５へのＤＣ電力の供給が開始される。
常時電源供給部２と主電源供給部３とは、特に独立したハードウェア構成によって形成されるのではなく、プリント基板等の配線パターンによって形成してもよい。
【００３４】
常時電源供給ブロック４は、電力受電部１にＡＣ電力が供給されており、図示しない電源スイッチが投入（ＯＮ）されている場合に、常にＤＣ電力が供給されている電子回路領域を意味する。
すなわち、常時電源供給ブロック４は、後述するローパワーモードでもスタンダードモードでも、あるいはマルチディスプレイとして実際に画像表示を行っている場合でも、常に起動状態にあるブロックである。
【００３５】
常時電源供給ブロック４に属する機能ブロックとしては、主として、制御部（ＭＰＵ）４１，電源イベント監視部４２，起動信号制御部４３，起動信号受信部４４，起動信号送信部４５，主電源起動部４６，記憶部４７が含まれる。
ただし、これらの機能ブロックに限るものではなく、たとえば、マルチディスプレイを起動させるのにリモコンが利用される場合は、リモコンから出力された赤外線信号を受光する赤外線受光部や、受信に使用される通信回路なども、常時電源供給ブロック４に含まれる。
【００３６】
制御部（ＭＰＵ）４１は、主として、ＣＰＵ、ＲＯＭ、ＲＡＭ、Ｉ／Ｏコントローラ、タイマー等からなるマイクロコンピュータにより実現され、ＣＰＵが、ＲＯＭ等に記憶されたプログラムに基づいて、各種ハードウェアを有機的に動作させることによって、表示ユニットの表示機能や、電源起動信号の通信機能などを実現させる。
したがって、電源イベント監視部４２，起動信号制御部４３，主電源起動部４６などについては、専用のハードウェアで実現してもよいが、制御部４１が、ソフトウェア的な動作によってこれらの機能を実現してもよい。
【００３７】
電源イベント監視部４２は、電源供給制限ブロック５にＤＣ電力を供給させることを要求する信号、すなわち、マルチディスプレイとして表示機能を実行させることを要求する電源イベント信号ＥＶｓが、受信されるか否かを監視する部分である。
電源イベント信号ＥＶｓは、主として、ディジーチェーン接続された最初の第１表示ユニットＤ１に入力される信号であり、たとえば、第１表示ユニットＤ１に接続された情報処理装置（パソコン）３００から送信される。
【００３８】
電源イベント信号ＥＶｓは、ＬＡＮやＲＳ２３２Ｃなどを介して、パソコン３００の他にも、たとえば、リモコンから与えられるようにしてもよい。
また、電源イベント信号ＥＶｓは、主として、電源供給制限ブロック５を起動させることを要求する信号であるが、この他にも、たとえば、外部機器へ映像出力を要求するような信号が出力されるようにしてもよい。
電源イベント監視部４２が、電源イベント信号ＥＶｓが受信されたことを確認した場合に、後述するように、起動信号送信部４５から隣接する下流側の表示ユニットに、電源起動信号ＰＷｓを送信した後、主電源供給部３から電源供給制限ブロック５に対して、主電源の供給が開始される。
【００３９】
起動信号制御部４３は、電源起動信号ＰＷｓの送受信を制御する部分である。
たとえば、ディジーチェーン接続された隣接する上流側の表示ユニット１００（たとえばＤ１）の上流起動信号送信部４５から出力された電源起動信号ＰＷｓが、起動信号受信部４４に受信されるか否かをチェックする。
また、電源起動信号ＰＷｓが受信された場合に、起動信号送信部４５から、電源起動信号ＰＷｓを、隣接する下流側の表示ユニット１００（たとえばＤ３）の下流起動信号受信部４４に送信する。
【００４０】
起動信号受信部４４は、入力端子ＰＷｉｎを介して入力される電源起動信号ＰＷｓを、受信する部分である。
起動信号送信部４５は、出力端子ＰＷｏｕｔを介して、電源起動信号ＰＷｓを送信する部分である。
【００４１】
起動信号受信部４４および起動信号送信部４５は、ハードウェア的には、それぞれ入力端子ＰＷｉｎおよび出力端子ＰＷｏｕｔに相当するものである。
入力端子ＰＷｉｎと出力端子ＰＷｏｕｔは、電源起動信号ＰＷｓを入出力する専用の端子として新たに各表示ユニットに設けてもよいが、表示ユニットにすでに設けられているインタフェースの接続端子を利用してもよい。
たとえば、表示ユニット間において制御信号を入出力するシリアルインタフェースとして、ＲＳ２３２Ｃの規格に対応したコネクタ（ＲＳ２３２Ｃコネクタ）がすでに備えられている場合は、そのコネクタの中の所定のＰＩＮを、入力端子ＰＷｉｎおよび出力端子ＰＷｏｕｔとして利用すればよい。
すなわち、起動信号受信部４４と起動信号送信部４５は、ＲＳ２３２Ｃインタフェースの接続コネクタの所定の端子に対応付けられ、電源起動信号ＰＷｓはＲＳ２３２Ｃコネクタの所定の端子から送受信される。
【００４２】
図３に、この発明の表示ユニット１００の機能ブロックのうち、ＲＳ２３２Ｃコネクタを用いた部分の接続概略図を示す。
ここでは、ＲＳ２３２Ｃコネクタは、９ピンからなるものを示しているが、起動信号受信部４４と起動信号送信部４５として、それぞれ別々のＲＳ２３２Ｃコネクタの端子を用いる場合を示している。たとえば、ＲＳ２３２Ｃコネクタの９番ピンを、それぞれ入力端子ＰＷｉｎ、出力端子ＰＷｏｕｔとして使用している。
【００４３】
入力端子ＰＷｉｎに入力される電源起動信号ＰＷｓは、ディジーチェーン接続された他の表示ユニットのうち、隣接する上流側の表示ユニットの上流起動信号送信部と、この図３の起動信号受信部４４とが接続される第１の伝達経路を介して、伝達される。
また、出力端子ＰＷｏｕｔから出力される電源起動信号ＰＷｓは、隣接する下流側の表示ユニットの下流起動信号受信部と、図３の起動信号送信部４５とが接続される第２の伝達経路を介して、伝達される。
入力端子ＰＷｉｎに入力された電源起動信号ＰＷｓは、ＭＰＵ４１の一つの機能ブロックである起動信号制御部４３に与えられる。
また、起動信号制御部４３から出力された電源起動信号ＰＷｓは、ＲＳ２３２Ｃコネクタの出力端子ＰＷｏｕｔから出力される。
また、後述する図８に示すように、入力端子ＰＷｉｎに入力された信号は、Low Power CheckとしてＭＰＵ４１に入力され、ＭＰＵ４１から出力されたLow Power Outが、出力端子ＰＷｏｕｔに与えられることを示している。
【００４４】
図８に、この発明の表示ユニット１００において、制御信号を入出力するインタフェースとしてＲＳ２３２Ｃコネクタおよびドライバを用いた一実施例の電子回路の概略構成図を示す。
ここでは、表示ユニット１００の構成する電子回路のうち、ＭＰＵと、ＲＳ２３２Ｃドライバと、ＲＳ２３２Ｃコネクタからなる部分のみを示している。
【００４５】
図８の上方に示したRS232C Connector INPUTが、制御信号の受信部に相当し、そのコネクタの９番ピンが電源起動信号ＰＷｓを入力する入力端子ＰＷｉｎに相当する。また、入力端子ＰＷｉｎに入力された電源起動信号ＰＷｓは、Low Power Checkとして、ＭＰＵに入力される。
一方、下方に示したRS232C Connector OUTPUTが、制御信号の送信部に相当し、そのコネクタの９番ピンが電源起動信号ＰＷｓを出力する出力端子ＰＷｏｕｔに相当する。
また、ＭＰＵから出力されたLow Power Outの信号が、出力端子ＰＷｏｕｔに与えられる。
【００４６】
また、図８において、STB 3.3Vは、常時電源供給部２から与えられるＤＣ電圧に相当し、このＤＣ電圧が与えられる電子回路の部分は、常時電源供給ブロック４に相当する。
さらに、電源起動信号ＰＷｓを送受信するのに関係する電子回路（Low Power Checkの入力部分、Low Power Outの出力部分）も、常時電源供給ブロック４に相当する。
一方、図８において、MAIN 3.3Vは、主電源供給部３から与えられるＤＣ電圧に相当し、このＤＣ電圧が与えられる電子回路の部分は、電源供給制限ブロック５に相当する。
【００４７】
図２において、主電源起動部４６は、主電源供給部３の動作を制御する部分であり、具体的には、主電源供給部３から供給されるＤＣ電力の出力の有無を制御する部分である。
たとえば、電源イベント信号ＥＶｓが入力された場合、あるいは、電源起動信号ＰＷｓが入力された場合は、主電源起動部４６が、主電源供給部３に、ＤＣ電力の供給開始を指示する信号を出力して、電源供給制限ブロック５に対してＤＣ電力を供給させる。
一方、電源イベント信号ＥＶｓの入力がなく、電源起動信号ＰＷｓの入力もない場合は、主電源供給部３に、ＤＣ電力の供給停止を指示する信号を出力して、電源供給制限ブロック５へのＤＣ電力の供給を停止させる。
なお、上記したように、主電源起動部４６の機能は、制御部（ＭＰＵ）４１の動作の１つとして実現してもよい。
【００４８】
記憶部４７は、表示ユニット１００の機能を実行するために必要な情報や、プログラムを記憶した部分であり、ＲＯＭ，ＲＡＭ，フラッシュメモリなどの半導体記憶素子、ＨＤＤ，ＳＳＤなどの記憶装置、その他の記憶媒体が用いられる。
ＲＯＭやＨＤＤなどの不揮発性メモリも、ＲＡＭ等の揮発性メモリも、原則として、常時電源供給ブロック４に属する。
ただし、記憶部４７のうち、画像処理部５３など表示処理に密接に関係する画像メモリは、低消費電力化のために、常時電源供給ブロック４から除くことが好ましい。
【００４９】
記憶部４７の不揮発性メモリには、たとえば、表示ユニット１００の電源の起動停止に関する情報（動作状態情報と呼ぶ）などが記憶される。
動作状態情報としては、主として、表示ユニットの機能ブロックのうち、現在動作中の状態にあるものがどのブロックかを示す情報であり、たとえば、現在の電源の起動モードが、ローパワーモードであるか、あるいは、スタンダードモードであるかを示したものである。
動作状態情報としては、具体的には、たとえば、スタバイモード、映像品位調整データ、映像表示位置データ、カラー調整データ、映像の拡大位置座標データ、ディスプレイ設定などの情報が記憶される。
【００５０】
ローパワーモードとは、表示ユニット１００の低消費電力化をはかるために、最小限起動させておくことが必要な回路領域である常時電源供給ブロック４のみに電力を供給し、その他の部分には電力を供給しないモードである。
ローパワーモードでは、電源供給制限ブロック５のすべてについて電力の供給を停止し、たとえば、図８に示した制御信号の出力インタフェースであるＲＳ２３２Ｃの出力ドライバーや、画像処理部（スケーラー）などには通電しない。
したがって、ローパワーモードから、マルチディスプレイとして画像表示ができる状態とするためには、通電されていなかった電源供給制限ブロック５をすべて起動させる必要があるため、かなりの長時間がかかることになる。
【００５１】
一方、スタンダードモードとは、外部のパソコン等から、マルチディスプレイとしての画像表示の要求が受信されれば、直ちに、表示機能が実行できる状態となるモードである。
スタンダードモードでは、常時電源供給ブロック４に加えて、電源供給制限ブロック５にも、電力が供給される。
たとえば、ＲＳ２３２Ｃの出力ドライバーや、画像処理部（スケーラー）、表示部、入力部、など、ディスプレイ全回路にも通電される。
したがって、スタンダードモードの動作状態から、通常の画像表示を行わせるためには、ローパワーモードよりも短時間でよいが、消費電力はローパワーモードよりも大きくなる。
また、記憶部４７には、この他に、ディスプレイのＯＳＤメニューで設定したデータなどの情報が記憶される。
【００５２】
電源供給制限ブロック５は、電力受電部１にＡＣ電力が供給されており、電源スイッチが投入（ＯＮ）されていても、常時起動がされていない電子回路領域を意味する。
また、主電源供給部３からＤＣ電力が供給された場合に、起動される領域である。
電源供給制限ブロック５に属する機能ブロックには、マルチディスプレイの１つの画面としての表示機能を実行する表示制御部５０や、入力部５４が含まれる。表示制御部５０には、たとえば、表示部５１，バックライト５２，画像処理部（スケーラー）５３が含まれる。
ただし、主電源供給部３からＤＣ電力が供給される部分は、これらに限るものではなく、上記したようなＲＳ２３２Ｃの出力ドライバーや、画像メモリ、ＤＣ−ＤＣコンバータ、ＬＡＮなどのネットワークデバイスなども含めてもよい。
【００５３】
表示部５１は、画像を表示させる画面を有するディスプレイパネルに相当し、液晶パネル、ＰＤＰ、有機ＥＬパネルなどに相当する。
バックライト５２は、表示部５１を照明する部分であり、液晶パネルの背面等に配置される照明装置であり、たとえばＬＥＤが用いられる。
画像処理部（スケーラー）５３は、主として、画像処理専用のＬＳＩで構成され、入力された映像信号から表示部５１に表示させる画像を生成する部分であり、たとえば、画像補正、カラー補正、γ補正、ＯＳＤ生成および重畳などの処理を行う。
また、スケーラー５３が上記のような処理を行うときに、表示データの格納領域として、画像メモリが利用される。
入力部５４は、ユーザが、直接入力操作を行う部分であり、キーボード、マウス、タッチパネル、などが用いられる。
その他に、図示しないリモコンも、入力部５４に相当する。
【００５４】
＜電源起動信号の伝達と表示＞
この発明の複数の表示ユニットからなるマルチディスプレイ装置では、ディジーチェーン接続された表示ユニット間で電源起動信号ＰＷｓが順次伝達された後、各表示ユニットが画像表示できる状態に起動される。
たとえば、すべての表示ユニットが、ローパワーモードになっている場合、電源供給制限ブロック５には、ＤＣ電力が供給されていないので表示部５１には何も表示されない。その後、最初の第１表示ユニットＤ１に、電源イベント信号ＥＶｓが入力されると、電源起動信号ＰＷｓが順次、最後の表示ユニットまで伝達され、各表示ユニットが、表示可能状態に起動される。
【００５５】
すなわち、最初の第１表示ユニットＤ１から送信された電源起動信号ＰＷｓは、第１および第２の伝達経路を介して、順次隣接する下流側の第２表示ユニットＤ２の下流起動信号受信部４４に受信され、かつ、この下流側の第２表示ユニットＤ２の起動信号送信部４５からさらに隣接する下流側の表示ユニット（Ｄ３，Ｄ４）に送信され、ディジーチェーン接続された最後の表示ユニットＤ４の起動信号受信部４４にまで伝達される。
【００５６】
図４に、この発明のマルチディスプレイ装置において、電源起動信号ＰＷｓの伝達と表示起動状態の一実施例の説明図を示す。
ここで、マルチディスプレイ装置は、図１に示したように、４つの表示ユニット（Ｄ１〜Ｄ４）から構成されているものとする。
図４（ａ）では、４つの表示ユニット（Ｄ１〜Ｄ４）は、すべて、ローパワーモードにあり、表示部５１の表示は行われていないものとする。
図４（ａ）において、まず、最初の第１表示ユニットＤ１に、電源イベント信号ＥＶｓが入力されたとする。
このとき、図２に示した電源イベント監視部４２が、電源イベント信号ＥＶｓを受信したことを確認すると、図４（ｂ）に示すように、起動信号制御部４３が、起動信号送信部４５の出力端子ＰＷｏｕｔから、電源起動信号ＰＷｓを出力する。
この電源起動信号ＰＷｓは、隣接する第２表示ユニットＤ２の入力端子ＰＷｉｎを介して、起動信号受信部４４に入力される。
【００５７】
第２表示ユニットＤ２の起動信号制御部４３が、第１の伝達経路を介して、起動信号受信部４４に、電源起動信号ＰＷｓが受信されたことを確認すると、図４（ｃ）に示すように、起動信号送信部４５が、第２の伝達経路を介して、出力端子ＰＷｏｕｔから、電源起動信号ＰＷｓを送信する。
この電源起動信号ＰＷｓは、第３表示ユニットＤ３の起動信号受信部４４に入力される。
また、図４（ｃ）において、すでに電源起動信号ＰＷｓを出力した後の第１表示ユニットＤ１では、主電源起動部４６が、主電源供給部３によって、電源供給制限ブロック５に、表示制御部５０などを起動させるためのＤＣ電力の供給を開始させる。ＤＣ電力が供給されると、表示起動処理が開始される。
これにより、第１表示ユニットＤ１は、画像表示ができる状態に起動される。
【００５８】
図４（ｄ）において、図４（ｂ）や図４（ｃ）と同様に、電源起動信号ＰＷｓを受信した第３表示ユニットＤ３では、起動信号制御部４３が、起動信号送信部４５の出力端子ＰＷｏｕｔから、電源起動信号ＰＷｓを出力する。
この電源起動信号ＰＷｓは、最後の第４表示ユニットＤ４の起動信号受信部４４に入力される。
第４表示ユニットＤ４は、ディジーチェーン化された表示ユニットのうち最下流の表示ユニットなので、電源起動信号ＰＷｓは、出力されない。
また、図４（ｄ）において、すでに電源起動信号ＰＷｓを出力した後の第２表示ユニットＤ２では、電源供給制限ブロック５に、ＤＣ電力の供給を開始する。
これにより第２表示ユニットＤ２は、画像表示ができる状態に起動される。
【００５９】
さらに、図４（ｅ）において、電源起動信号ＰＷｓを出力した後の第３表示ユニットＤ３と、電源起動信号ＰＷｓを受信した最後の第４表示ユニットＤ４においても、それぞれの電源供給制限ブロック５に、ＤＣ電力の供給が開始される。
これにより、マルチディスプレイを構成するすべての表示ユニット（Ｄ１〜Ｄ４）は、表示部５１に画像表示が可能な状態となる。
表示ユニットの電源供給制限ブロック５にＤＣ電力の供給が開始されても、表示部５１に画像表示が実際にできるようになるためには、所定の時間（たとえば、５〜１０秒程度）がかかる。
電源起動信号ＰＷｓは、たとえば、隣接する表示ユニットのＲＳ２３２Ｃコネクタどうしを結合したケーブルを伝達していく。
このケーブルを伝達するスピードは、比較的短時間であり、起動信号受信部４４に電源起動信号ＰＷｓが受信されてから、起動信号制御部４３が起動信号送信部４５から電源起動信号ＰＷｓを送信するまでの時間は、ほぼリアルタイムに近い短い時間とすることができる。
【００６０】
したがって、最初の第１表示ユニットＤ１から最後の第４表示ユニットＤ４にまで、電源起動信号ＰＷｓが到達する時間は、各表示ユニットの画像表示が可能となるまでの時間よりもかなり短く、電源起動信号ＰＷｓを受信しかつ次の表示ユニットへ送信した後に行われる表示起動処理の開始時間を早めることができる。
図４（ｄ）や（ｅ）に示すように、各表示ユニットの表示起動処理を、並列的に実行することができるので、マルチディスプレイ全体として、画像表示が可能となるまでの時間を短縮することができる。
【００６１】
図５に、比較例として、従来における電源起動信号の伝達と表示起動状態の説明図を示す。
ここで、従来技術では、各表示ユニットにおいて、画像表示や信号伝達などに必要な電子回路部分のすべてを起動させて、画像表示が可能となった後に、隣接する表示ユニットに、電源起動信号ＰＷｓが送信される。
図５（ａ）に示すように、最初の第１表示ユニットＤ１に、電源イベント信号ＥＶｓが入力されたとする。このとき、図５（ｂ）に示すように、第１表示ユニットＤ１では、画像表示と信号伝達が可能となるように、関係する電子回路部分にＤＣ電力を供給して表示起動処理を開始させる。
上記したように、ＤＣ電力が供給されて実際に画像表示が可能となるまでの時間は、かなりの時間がかかることになるので、次の第２表示ユニットＤ２に対し、電源起動信号ＰＷｓの送信を開始する時間が遅くなる。
【００６２】
図５（ｃ）において、第１表示ユニットＤ１が、画像表示と信号伝達とが可能となった後に、電源起動信号ＰＷｓを第２表示ユニットＤ２へ送信する。
ここで、図４（ｂ）と図５（ｃ）とを比較すると、この発明の図４（ｂ）の方が、第１表示ユニットＤ１の表示起動処理をすることなく、電源起動信号ＰＷｓを送信しているので、電源起動信号ＰＷｓを第２表示ユニットＤ２へ送信するタイミングは、この発明の方が早い。
逆に、従来技術では、第２表示ユニットＤ２が、電源起動信号ＰＷｓを受信するタイミングは、第１表示ユニットの表示起動処理にかかる時間の分だけ、この発明よりも遅いことになり、その結果、第２表示ユニットＤ２の表示起動処理を開始する時間も遅くなる。
【００６３】
その後、図５（ｄ）から図５（ｇ）までに示すように、電源起動信号ＰＷｓを受信した表示ユニットでは、自己の画像表示と信号伝達とを可能とするために、表示起動処理を実行した後に、下流側の表示ユニットに、電源起動信号ＰＷｓを送信していく。
このように、従来技術では、各表示ユニットの表示起動処理と電源起動信号ＰＷｓの送信処理とが、順次直列的に行われるので、図５（ｈ）に示すように、最後の第４表示ユニットの表示起動処理が終了して、すべての表示ユニットが画像表示のできる状態となるためには、かなりの時間を要する。
【００６４】
＜この発明の電源起動制御処理＞
以下に、この発明のマルチディスプレイ装置における表示ユニットの電源起動制御処理の実施例を説明する。
（実施例１）
図６に、この発明の各表示ユニットの電源起動制御処理の実施例１のフローチャートを示す。
このフローチャートは、マルチディスプレイを構成するすべての表示ユニットについて実行される共通のフローである。
ステップＳ１において、表示ユニットの起動処理を実行する。
ここでの起動処理とは、電力受電部１がＡＣ電力２００を受電することと、電源スイッチがある場合は、ユーザがその電源スイッチを投入（ＯＮ）することを意味する。
これにより、ＡＣ電力がＤＣ電力に変換されて、常時電源供給部２と、主電源供給部３とが動作可能状態となる。
【００６５】
ステップＳ２において、ＤＣ電力が供給可能な状態となった初期状態では、表示ユニットを電源待機状態に設定する。電源待機状態とは、電源スイッチやリモコンなど、外部トリガによる起動を待機している状態を意味する。
ここで、常時電源供給部２が、常時電源供給ブロック４に対して、ＤＣ電力を供給する。
一方、主電源起動部４６からの指示信号により、主電源供給部３は、電力受電部１からＤＣ電力を受けても、電源供給制限ブロック５にＤＣ電力を供給しないようにする。
この状態は、少なくとも、常時電源供給ブロック４に属する制御部（ＭＰＵ）４１と、記憶部４７と、電源起動信号ＰＷｓに関する部分（４３，４４，４５）と、電源イベント監視部４２と、主電源起動部４６に、ＤＣ電力を供給するローパワーモードであり、消費電力を低く抑えた状態である。
したがって、パソコン等からマルチディスプレイの画像表示要求（電源イベント信号）があったとしても、すぐにはその画像表示が行えない状態である。
【００６６】
ステップＳ３において、起動信号制御部４３が、入力端子ＰＷｉｎを介して、起動信号受信部４４に電源起動信号ＰＷｓが受信されたか否かをチェックする。
ここで、電源起動信号ＰＷｓとして有効な信号を“Ｈ”レベルの信号（Low Power Check）とし、その他の無効な信号を“Ｌ”レベルの信号とする。また、“Ｌ”レベルの電源起動信号ＰＷｓの送受信は、電源起動信号ＰＷｓを送信しないことに相当するものとする。
入力端子ＰＷｉｎに“Ｈ”レベルの信号が受信されたことを検出した場合には、ステップＳ６へ進み、“Ｌ”レベルの信号が受信された場合には、ステップＳ４へ進む。
ステップＳ４において、入力端子ＰＷｉｎに、“Ｌ”レベルの信号が受信されている場合は、起動信号制御部４３は、起動信号送信部４５に対して、“Ｈ”レベルの電源起動信号ＰＷｓを出力しないように制御する。
すなわち、出力端子ＰＷｏｕｔからの出力が無効となるように設定し、“Ｌ”レベルの電源起動信号ＰＷｓを出力する。
【００６７】
ステップＳ５において、電源イベント監視部４２が、外部のパソコン３００等から、電源イベント信号ＥＶｓを受信したか否かをチェックする。
電源イベント信号ＥＶｓを受信した場合は、ステップＳ６へ進み、そうでない場合はステップＳ３へ戻る。
ステップＳ６において、起動信号制御部４３は、起動信号送信部４５に対して“Ｈ”レベルの電源起動信号ＰＷｓを出力するように制御する。すなわち、出力端子ＰＷｏｕｔからの出力が有効となるように設定し、“Ｈ”レベルの電源起動信号ＰＷｓを出力する。
これにより、ディジーチェーン接続された隣接する下流側の表示ユニットに対して、電源起動信号ＰＷｓが送信される。
【００６８】
ＭＰＵ４１が、記憶部４７に記憶されたプログラムに基づいて、ステップＳ３からＳ６までの処理を実行する場合は、ほぼリアルタイムで実行されるので、電源起動信号ＰＷｓを受信した後、あるいは電源イベント信号ＥＶｓを受信した後、すぐに、電源起動信号ＰＷｓが、出力端子ＰＷｏｕｔから出力される。
ステップＳ７において、電源起動信号ＰＷｓを出力した後に、主電源起動部４６からの指示信号を受けて、主電源供給部３が、電源供給制限ブロック５に対して、主電源となるＤＣ電力の供給を開始する。
すなわち、電源供給制限ブロック５に属する電子回路に対してＤＣ電力を供給し、画像処理部などの機能を起動させる。
ステップＳ７の後、ステップＳ３へ戻り、処理を継続させる。
【００６９】
各表示ユニットにおいて、上記のような電源の起動制御をすることによって、図４に示したような電源起動信号の伝達と表示起動処理が行われるので、電源待機状態（ローパワーモード）から、マルチディスプレイとしての画像表示が可能となるまでの時間を、高速化することができる。
【００７０】
（実施例２）
図７に、この発明の各表示ユニットの電源起動制御処理の実施例２のフローチャートを示す。
ここでは、ローパワーモードと、スタンダードモードの２つのモードがある場合の電源起動制御処理の実施例を示す。
ステップＳ２１において、図６のステップＳ１と同様に、表示ユニットの起動処理が実行される。これにより、ＡＣ電力がＤＣ電力に変換されて、ＤＣ電力を供給することができる状態となる。
ステップＳ２２において、ステップＳ２と同様に、電源待機状態に設定し、常時電源供給ブロック４にＤＣ電力を供給するが、電源供給制限ブロック５には、ＤＣ電力を供給しないようにする。
【００７１】
ステップＳ２３において、ステップＳ３と同様に、入力端子ＰＷｉｎを介して、電源起動信号ＰＷｓが受信されたか否かをチェックする。すなわち、ＰＷｓとして、“Ｈ”レベルの信号が受信されたか否かをチェックする。
“Ｈ”レベルの信号が受信されたことを検出した場合は、ステップＳ２４へ進み、“Ｌ”レベルの信号が検出された場合は、ステップＳ２６へ進む。
ステップＳ２４において、ステップＳ６と同様に、起動信号制御部４３が、起動信号送信部４５に対して、“Ｈ”レベルの電源起動信号ＰＷｓを出力するように制御する。
ステップＳ２５において、ステップＳ７と同様に、主電源供給部３が、電源供給制限ブロック５に対して、ＤＣ電力の供給を開始する。
その後、ステップＳ３５へ進む。
【００７２】
ステップＳ２６において、ステップＳ４と同様に、入力端子ＰＷｉｎに、“Ｌ”レベルの電源起動信号ＰＷｓが入力されたので、出力端子ＰＷｏｕｔを無効に設定する。すなわち、出力端子ＰＷｏｕｔを介して、“Ｌ”レベルの電源起動信号ＰＷｓを出力する。
ステップＳ２７において、記憶部４７に記憶されている表示ユニットの前回の電源状態を示す動作状態情報を、記憶部４７から読み出す。
ここで、読み出される動作状態情報としては、たとえば、スタンバイ情報であるローパワーもしくはスタンダード等である。
ステップＳ２８において、読み出された動作状態情報を利用して、現在の電源起動モードをチェックする。すなわち、ローパワーモードとすべきか、あるいはスタンダードモードとすべきかを判断する。
たとえば、スタンバイがローパワーの場合は、現在の電源起動モードを、ローパワーモードとする。
一方、スタンダードの場合は、スタンダードモードとする。
ローパワーモードとする場合は、ステップＳ３１へ進み、スタンダードモードとする場合は、ステップＳ２９へ進む。
【００７３】
ステップＳ２９において、現在の電源起動モードを、スタンダードモードに設定する。
スタンダードモードでは、主電源供給部３によって、電源供給制限ブロック５に対して、ＤＣ電力を供給する。これにより、表示部５１、バックライト５２、画像処理部（スケーラー）５３、ディスプレイ全回路に、ＤＣ電力が供給される。
ステップＳ３０において、電源イベントが入力されたか否かをチェックする。
たとえば、ユーザによって、マルチディスプレイとしての画像表示を要求するようなキー入力操作がされたか否かをチェックする。
キー入力がされた場合は、ステップＳ３４へ進み、そうでない場合は、ステップＳ２３へ戻る。
【００７４】
ステップＳ３１において、現在の電源起動モードを、ローパワーモードに設定する。
ローパワーモードでは電源供給制限ブロック５に、ＤＣ電力を供給しないようにする。
ただし、ステップＳ２２において、すでにローパワーモードに設定されているので、ここでは特に何もしなくてもよい。
ステップＳ３２において、ステップＳ３０と同様に、電源イベントの入力の有無をチェックする。
電源イベント入力がある場合は、ステップＳ３３へ進み、そうでない場合は、ステップＳ２３へ戻る。
ステップＳ３３において、ステップＳ７と同様に、主電源供給部３が、電源供給制限ブロック５に対して、ＤＣ電力の供給を開始する。
ステップＳ３４において、ステップＳ６と同様に、出力端子ＰＷｏｕｔからの出力が有効となるように設定し、“Ｈ”レベルの電源起動信号ＰＷｓを出力する。
【００７５】
ステップＳ３５において、マルチディスプレイの表示処理を起動させる。ここでは、マルチディスプレイとして画像を表示するために、各表示ユニットで画像表示に必要な処理を実行する。
たとえば、画像信号の検出、解像度の判断、画像処理、カラー設定などのような処理を実行させる。
ステップＳ３６において、現在の動作状態を、動作状態情報として、記憶部４７に記憶する。ここでは、動作状態情報としては、たとえば、スタンバイモード、映像品位調整データ、映像表示位置データ、カラー調整データ、映像の拡大位置座標データ、ディスプレイ設定などの情報が記憶される。
この後、ステップＳ２３へ戻る。
【００７６】
以上のように、実施例２においても、設定起動信号ＰＷｓを隣接する下流側の表示ユニットに送信した後に、電源供給制限ブロックにＤＣ電源を供給するという電源起動制御をしているので、電源待機状態（ローパワーモード）から、マルチディスプレイとして画像表示が可能となるまでの時間を、高速化（短縮）することができる。
【符号の説明】
【００７７】
１  電力受電部、  ２  常時電源供給部、  ３  主電源供給部、  ４  常時電源供給ブロック、  ５  電源供給制限ブロック、  ４１  制御部（ＭＰＵ）、  ４２  電源イベント監視部、  ４３  起動信号制御部、  ４４  起動信号受信部、  ４５  起動信号送信部、  ４６  主電源起動部、  ４７  記憶部、  ５０  表示制御部、  ５１  表示部、  ５２  バックライト、  ５３  画像処理部（スケーラー）、  ５４  入力部、  １００  表示ユニット、  ２００  ＡＣ電力、  ３００  情報処理装置（パソコン）
【図１】
2016081012.tif 000003
【図２】
2016081012.tif 000004
【図３】
2016081012.tif 000005
【図４】
2016081012.tif 000006
【図５】
2016081012.tif 000007
【図６】
2016081012.tif 000008
【図７】
2016081012.tif 000009
【図８】
2016081012.tif 000010